(57)【要約】      （修正有）【課題】糊付けなどの貼着工程を不要とし、組み立てが簡単で安価な包装箱を提供すること。【解決手段】底壁１と、後壁２と、天壁３と、第１前壁構成部５と、第２前壁構成部６と、第１前壁構成部５および第２前壁構成部６のうち少なくとも一方の先端に設けられ、他方の前壁構成部５，６の先端に噛み合うように係合させる係合部８と、第１前壁構成部５および第２前壁構成部６のうち、内側に位置する前壁構成部５，６を除くいずれかの壁１，２，３，５，６に設けられ、対向する壁の内面に差し込む差込片１３を備えた一対の蓋部１１と、蓋部１１によって両側開口を閉塞した状態を保持するとともに、第１前壁構成部５と第２前壁構成部６との係合を保持する保持手段とからなる構成とする。【選択図】図２
2005119689.tif 000002
【特許請求の範囲】
【請求項１】
矩形状をなす底壁と、
前記底壁の一端に連続する後壁と、
前記後壁の一端に連続する天壁と、
前記底壁の他端に連続する第１前壁構成部と、
前記天壁の一端に連続し、前記第１前壁構成部の外面または内面に重畳する寸法の第２前壁構成部と、
前記第１前壁構成部および第２前壁構成部のうち少なくとも一方の先端に設けられ、他方の前壁構成部の先端に噛み合うように係合させる係合部と、
前記第１前壁構成部および第２前壁構成部のうち、内側に位置する前壁構成部を除くいずれかの壁に設けられ、矩形状をなす両側開口を開閉可能に閉塞するとともに、対向する壁の内面に差し込む差込片を備えた一対の蓋部と、
前記蓋部によって両側開口を閉塞した状態を保持するとともに、前記第１前壁構成部と第２前壁構成部との係合を保持する保持手段と
からなることを特徴とする包装箱。
【請求項２】
前記第２前壁構成部はその両側部が第１前壁構成部の外面に重畳し中央部が第１前壁構成部の内面に重畳するように組み立てられるとともに、前記蓋部は底壁または天壁に設けられるもので、
前記保持手段は、前記後壁および第２前壁構成部の両側に連設けられ、前記蓋部の内面に配置されるフラップからなることを特徴とする請求項１に記載の包装箱。
【発明の詳細な説明】
【技術分野】
【０００１】
本発明は、糊付けなどの固着手段を使用することなく組み立てが可能な包装箱に関するものである。
【背景技術】
【０００２】
本発明の包装箱に関連する先行技術文献情報としては次のものがある。
【０００３】
【特許文献１】米国特許第３３４３７４４号公報
【０００４】
この特許文献１の包装箱は、矩形状をなす底壁の一端に後壁が連設されるとともに、該後壁の一端に蓋を構成する天壁が連設されている。また、底壁には、前記後壁と反対の他端に前壁が連設されるとともに、左右両側に側壁が連設されている。そして、前記前壁と側壁とは、連続部を介して連設されている。また、前壁には一対の係止溝が形成されるとともに、前記天壁の一端に前壁の外面を覆う被覆壁が設けられ、該被覆壁に前記係止溝と係合する一対の被係止溝が設けられている。そして、前記被覆壁の被係止溝間の舌片部分を前壁の係止溝間の内面に位置させるとともに、被覆壁の両側部を前壁の外面に位置させるように、前記係止溝と被係止溝とを噛み合わせて係止することにより、糊付けなどの固定手段を使用することなく、組み立てることができるように構成している。
【発明の開示】
【発明が解決しようとする課題】
【０００５】
しかしながら、前記包装箱では、前記連続部を左右の側壁に貼着する工程が必要であるため、製造工数が多く、コスト高になるとともに、組立作業性が悪いという問題がある。また、貼着工程においてズレが発生し易いため、製造ロスが多くなるという問題がある。さらに、この包装箱を購入した販売店では、糊付けした状態で積み重ねて保管する必要があるため、広い保管スペースが必要になるという問題がある。
【０００６】
そこで、本発明では、糊付けなどの貼着工程を不要とし、組み立てが簡単で安価な包装箱を提供することを課題とするものである。
【課題を解決するための手段】
【０００７】
前記課題を解決するため、本発明の包装箱は、矩形状をなす底壁と、前記底壁の一端に連続する後壁と、前記後壁の一端に連続する天壁と、前記底壁の他端に連続する第１前壁構成部と、前記天壁の一端に連続し、前記第１前壁構成部の外面または内面に重畳する寸法の第２前壁構成部と、前記第１前壁構成部および第２前壁構成部のうち少なくとも一方の先端に設けられ、他方の前壁構成部の先端に噛み合うように係合させる係合部と、前記第１前壁構成部および第２前壁構成部のうち、内側に位置する前壁構成部を除くいずれかの壁に設けられ、矩形状をなす両側開口を開閉可能に閉塞するとともに、対向する壁の内面に差し込む差込片を備えた一対の蓋部と、前記蓋部によって両側開口を閉塞した状態を保持するとともに、前記第１前壁構成部と第２前壁構成部との係合を保持する保持手段とからなる構成としている。
【０００８】
ここで、「前記第１前壁構成部および第２前壁構成部のうち、内側に位置する前壁構成部を除くいずれかの壁に設けられ、」の「壁」とは、第１前壁構成部または第２前壁構成部のいずれか一方を含む、底壁、後壁および天壁のいずれかを意味する。即ち、第１前壁構成部が第２前壁構成部の内側に位置する場合には、底壁、後壁、天壁および第２前壁構成部のいずれかに前記蓋部が設けられる。また、第２前壁構成部が第１前壁構成部の内側に位置する場合には、底壁、後壁、天壁および第１前壁構成部のいずれかに前記蓋部が設けられる。
【０００９】
この包装箱では、前記第２前壁構成部はその両側部が第１前壁構成部の外面に重畳し中央部が第１前壁構成部の内面に重畳するように組み立てられるとともに、前記蓋部は底壁または天壁に設けられるもので、前記保持手段は、前記後壁および第２前壁構成部の両側に連設けられ、前記蓋部の内面に配置されるフラップからなることが好ましい。
【発明の効果】
【００１０】
本発明の包装箱では、第１前壁構成部、底壁、後壁、天壁および第２前壁構成部をそれぞれ折り曲げ、第１前壁構成部と第２前壁構成部とを係合部によって係合させる。ついで、蓋部および差込片を折り曲げ、差込片を対向する壁の内面側に差し込む。この状態で、天壁に開き方向に力が加わっても、保持手段により第２前壁構成部と第１前壁構成部との係合が解除され、開放されることを防止できる。
【００１１】
このように、本発明の包装箱では、糊付けなどの貼着工程を行うことなく、所定位置を折り曲げるだけで簡単に組み立てることができる。即ち、製造面では、ブランクを打ち抜くだけで良く、製造工数を削減できるとともに、糊付けに伴う製造ロスも防止でき、その結果、安価に提供することが可能である。しかも、この包装箱を購入した販売店では、フラットなブランクの状態のままで保管可能であるため、保管スペースの削減を図ることができる。
【００１２】
また、前記保持手段を後壁および第２前壁構成部の両側に連設したフラップにより構成すると、組立作業は非常に簡単になるうえ、組立状態を確実に維持できるため、この組立状態での剛性を向上できる。
【発明を実施するための最良の形態】
【００１３】
以下、本発明の実施の形態を図面に従って説明する。
【００１４】
図１から図４は、本発明の第１実施形態に係る包装箱を示す。この包装箱は、糊付けなどの固着手段を使用することなく組み立てを可能としたもので、紙器打抜装置（図示せず）によって段ボール紙を連続した一枚のブランクとして打ち抜いて成形される。
【００１５】
この包装箱のブランクは、矩形状をなす底壁１と、該底壁１の一端に連続する後壁２と、該後壁２の一端に連続する天壁３とを備え、これらの境界部分には罫を入れて形成した折曲線４が設けられている。
【００１６】
また、前記底壁１には、前記後壁２と反対側の他端に第１前壁構成部５が連設されるとともに、前記天壁３には、先端である一端に第２前壁構成部６が連設され、その各境界部分には折曲線７が設けられている。そして、これら前壁構成部５，６は、互いに噛み合うように係合させることにより、１つの前壁を構成するもので、その係合部８が前記第２前壁構成部６の先端中央に設けられている。具体的には、前記第２前壁構成部６は、前記第１前壁構成部５の外面に重畳する寸法を有するもので、本実施形態では、第１前壁構成部５を略下端まで覆うことが可能な高さで形成されている。前記係合部８は、台形状をなす切欠溝９の中央に、第１前壁構成部５の内面に挿入係止される凸部１０を設けた構成である。この凸部１０は、切欠溝９内において、その深さの略半分の位置まで突出する寸法で形成されている。
【００１７】
このように構成される前壁は、第２前壁構成部６の係合部８の両側を第１前壁構成部５の外面に重畳させた状態で、第２前壁構成部６の凸部１０が第１前壁構成部５の内側に重畳するように内向きに押圧しながら下降させる。これにより、切欠溝９に第１前壁構成部５の先端縁が噛み合うように互いに係合する。
【００１８】
前記底壁１の両側縁には、前記壁１〜３と前壁構成部５，６により囲繞された箱体の両側開口を開閉可能に閉塞する一対の蓋部１１が連設され、その境界部分には折曲線１２が設けられている。この蓋部１１には、底壁１と対向する天壁３の内面に差し込む差込片１３が連設され、その境界部分には折曲線１４が設けられている。なお、天壁３の両側縁中央には、差込状態の差込片１３に指を当てて抜き出すための半円形状をなす切欠部１５が設けられている。
【００１９】
本発明の包装箱には、前記蓋部１１によって両側開口を閉塞した状態を保持するとともに、前記第１前壁構成部５と第２前壁構成部６との係合を保持する保持手段が設けられている。そして、第１実施形態の保持手段は、前記後壁２、および、第１前壁構成部５を略覆う高さで形成した第２前壁構成部６に連設したフラップ１６により構成している。これら後壁２および第２前壁構成部６とフラップ１６との境界部分には折曲線１７が設けられ、組立状態では前記蓋部１１の内面に配置されるように構成している。これらフラップ１６は、それぞれ折曲線１７に沿って折り曲げた状態で、互いの先端縁が略突き合う大きい突出量で形成されている。
【００２０】
次に、前記包装箱の組立方法について説明する。
【００２１】
まず、図１に示すように、第１前壁構成部５、底壁１、後壁２、天壁３および第２前壁構成部６をそれぞれ折曲線４，７に沿って折り曲げる。そして、図２に示すように、第１前壁構成部５に対して第２前壁構成部６を噛み合わせて係合させる。
【００２２】
ついで、後壁２および第２前壁構成部６に対してフラップ１６を折曲線１７に沿って折り曲げた後、蓋部１１および差込片１３を折曲線１２，１４に沿って折り曲げ、差込片１３を対向する天壁３とフラップ１６との隙間に差し込む。
【００２３】
図３に示すように、このように組み立てた包装箱は、保持手段を構成するフラップ１６、特に、第２前壁構成部６に連設されたフラップ１６が蓋部１１により覆われているため、天壁３に開き方向に力が加わっても、第２前壁構成部６の係合部８と第１前壁構成部５との係合が解除され、開放されることを防止できる。また、フラップ１６は、蓋部１１の差込片１３を天壁３との間に挟持し、該蓋部１１を閉塞した状態に保持する。さらに、このフラップ１６は、その縁が底壁１および天壁３に当接し、包装箱を四角筒状に維持する役割もなす。即ち、包装箱を組み立てた状態での剛性を向上することができる。
【００２４】
このように、本発明の包装箱では、糊付けなどの貼着工程を行うことなく、所定位置を折り曲げるだけで簡単に組み立てることができる。即ち、製造面では、ブランクを打ち抜くだけで良く、製造工数を削減できるとともに、糊付けに伴う製造ロスも防止でき、その結果、安価に提供することが可能である。しかも、この包装箱を購入した販売店では、フラットなブランクの状態のままで保管可能であるため、保管スペースの削減を図ることができる。
【００２５】
図５および図６は第２実施形態の包装箱を示す。この包装箱は、保持手段の構成を変更した点でのみ、第１実施形態と相違している。具体的には、第２実施形態の保持手段は、差込片に形成した係合孔１８と、天壁３の対応位置に設けた可動部１９および差込係合部２０とからなる所謂ダブルロック構造としている。なお、前記可動部１９の基端、および、可動部１９と差込係合部２０との境界部分には折曲線２１が設けられている。
【００２６】
この第２実施形態の包装箱では、第１実施形態と同様に、第１前壁構成部５、底壁１、後壁２、天壁３および第２前壁構成部６を折り曲げ、第１前壁構成部５と第２前壁構成部６とを係合させた後、蓋部１１を折り曲げて差込片１３を天壁３の内面に差し込む。その後、可動部１９を上向きに折り曲げた状態で下部に位置する係合孔１８に差込係合部２０を差し込んで係合させる。
【００２７】
このように組み立てた包装箱は、保持手段を構成する係合孔１８と差込係合部２０との係合により、第１実施形態と同様に、天壁３に開き方向に力が加わっても、第２前壁構成部６の係合部８と第１前壁構成部５との係合が解除され、開放されることを防止できる。
【００２８】
また、第１実施形態と同様に、糊付けなどの貼着工程を行うことなく、所定位置を折り曲げるだけで簡単に組み立てることができるため、製造工数を削減できるとともに、糊付けに伴う製造ロスも防止できるうえ、保管スペースの削減を図ることができる。
【００２９】
なお、本発明の包装箱は、前記実施形態の構成に限定されるものではなく、種々の変更が可能である。
【００３０】
例えば、前記実施形態では、第２前壁構成部６に係合部８を設けたが、第１前壁構成部５に設けてもよく、また、両方の前壁構成部５，６に設けてもよい。即ち、係合部８は、第１前壁構成部５および第２前壁構成部６のうち少なくとも一方の先端に設ければよい。
【００３１】
また、第１前壁構成部５および第２前壁構成部６は、第２前壁構成部６が第１前壁構成部５の外面に重畳するように構成したが、第２前壁構成部６が第１前壁構成部５の内面に重畳するように構成してもよい。
【００３２】
さらに、一対の蓋部１１は、底壁１の両側に連設したが、天壁３に設けてもよい。さらに、後壁２に設けてもよいうえ、第１前壁構成部５および第２前壁構成部６のうち、外側に位置する前壁構成部５，６に設けてもよい。即ち、壁を構成する底壁１、後壁２、天壁３、第１前壁構成部５および第２前壁構成部６のうち、内側に位置する前壁構成部５，６を除くいずれかの壁に設ければよい。
【００３３】
さらにまた、第２実施形態においても、第１実施形態のように後壁２および第２前壁構成部６にフラップ１６を連設してもよい。この場合、このフラップ１６は、第１実施形態のように突出量を大きくする必要はない。
【図面の簡単な説明】
【００３４】
【図１】本発明の第１実施形態に係る包装箱の第１組立状態を示す斜視図である。
【図２】包装箱の第２組立状態を示す斜視図である。
【図３】包装箱の組立状態を示す斜視図である。
【図４】包装箱のブランクを示す平面図である。
【図５】第２実施形態の包装箱を示す斜視図である。
【図６】第２実施形態の包装箱のブランクを示す平面図である。
【符号の説明】
【００３５】
１…底壁
２…後壁
３…天壁
５…第１前壁構成部
６…第２前壁構成部
８…係合部
１１…蓋部
１３…差込片
１６…フラップ（保持手段）
【図１】
2005119689.tif 000003
【図２】
2005119689.tif 000004
【図３】
2005119689.tif 000005
【図４】
2005119689.tif 000006
【図５】
2005119689.tif 000007
【図６】
2005119689.tif 000008